(57)【要約】  外科手術ガス送達システム用のフィルターカートリッジは、外科手術ガス送達システムのフィルターカートリッジインターフェース内に着座するように構成されたフィルターハウジングを含む。第一のフィルター要素は、フィルターハウジングの第一の端部内に着座する。第二のフィルター要素は、第一の端部に対向するフィルターハウジングの第二の端部内に着座する。第三のフィルター要素は、第一のフィルター要素と第二のフィルター要素との間にフィルターハウジング内に着座する。第三のフィルター要素は、活性炭ディスクなどの活性炭材料を含み得る。【選択図】図１
2020525201.tif 000002
【特許請求の範囲】
【請求項１】
外科手術ガス送達システム用のフィルターカートリッジであって、
外科手術ガス送達システムのフィルターカートリッジインターフェース内に着座するように構成されたフィルターハウジングと、
前記フィルターハウジングの第一の端部内に着座する第一のフィルター要素と、
前記第一の端部に対向する前記フィルターハウジングの第二の端部内に着座する第二のフィルター要素と、
前記第一のフィルター要素と前記第二のフィルター要素との間の前記フィルターハウジング内に着座する第三のフィルター要素と、を含む、フィルターカートリッジ。
【請求項２】
前記第三のフィルター要素が活性炭材料を含む、請求項１に記載のフィルターカートリッジ。
【請求項３】
前記第三のフィルター要素が活性炭ディスクを含む、請求項２に記載のフィルターカートリッジ。
【請求項４】
前記第一および第二のフィルター要素のそれぞれがひだ付きフィルター材料を含む、請求項１に記載のフィルターカートリッジ。
【請求項５】
前記第一のフィルター要素と前記第二のフィルター要素との間の前記フィルターハウジング内にセパレータ壁をさらに含む、請求項１に記載のフィルターカートリッジ。
【請求項６】
前記セパレータ壁はそこを通るガス開口部を含み、プレナムが前記セパレータ壁と前記第三のフィルター要素との間に画定され、前記ガス開口部は、前記ガス開口部の断面積よりも大きい前記第三のフィルター要素の断面積を利用するために、前記プレナムをガスで加圧するように構成される、請求項５に記載のフィルターカートリッジ。
【請求項７】
周辺リムが前記セパレータ壁の周りに画定され、前記第三のフィルター要素が前記周辺リムに対して着座し、前記セパレータ壁と前記第三のフィルター要素との間に画定される容積の内部および前記周辺リム内に画定される前記プレナムを維持する、請求項６に記載のフィルターカートリッジ。
【請求項８】
シールが前記セパレータ壁と前記第三のフィルター要素との間に着座され、前記プレナムから前記第三のフィルター要素を通してガス流を強制する、請求項７に記載のフィルターカートリッジ。
【請求項９】
シールシートが、中に前記シールが着座する前記周辺リム内に画定される、請求項８に記載のフィルターカートリッジ。
【請求項１０】
流体トラップが前記第一のフィルター要素と前記セパレータ壁との間に画定され、前記ガス開口部が、前記流体トラップ内に閉じ込められた流体の貯蔵部の上方のガスの通過を可能にするように構成される、請求項６に記載のフィルターカートリッジ。
【請求項１１】
前記第二のフィルター要素が前記第三のフィルター要素の下流の流路内にある、請求項１に記載のフィルターカートリッジ。
【請求項１２】
前記第一のフィルター要素が前記第二および第三のフィルター要素とは別個の流路内にある、請求項１に記載のフィルターカートリッジ。
【請求項１３】
前記第一のフィルター要素を前記フィルターハウジングの前記第一の端部に固定するため、前記フィルターハウジングに取り付けられたカバープレートをさらに含む、請求項１に記載のフィルターカートリッジ。
【請求項１４】
前記カバープレートが、三内腔チューブセットと前記フィルター要素との間のガスの連通のために前記三内腔チューブセットに接続するためのフィッティングを含む、請求項１３に記載のフィルターカートリッジ。
【請求項１５】
前記フィッティングに接続された三内腔チューブセットをさらに含む、請求項１４に記載のフィルターカートリッジ。
【請求項１６】
前記カバープレートが、二内腔チューブセットと前記フィルター要素との間のガスの連通のために二内腔チューブセットに接続するためのフィッティングを含む、請求項１３に記載のフィルターカートリッジ。
【請求項１７】
前記フィッティングに接続された二内腔チューブセットをさらに含む、請求項１６に記載のフィルターカートリッジ。
【請求項１８】
前記第二のフィルター要素を前記フィルターハウジングの前記第二の端部に固定するために、前記フィルターハウジングに取り付けられたカバープレートをさらに含む、請求項１に記載のフィルターカートリッジ。
【請求項１９】
前記カバープレートが、外科手術ガス送達システムのフィルターカートリッジインターフェース内に画定される三つのそれぞれのガスポートに対してシールするよう構成された三つの開口部を画定する、請求項１６に記載のフィルターカートリッジ。
【請求項２０】
外科手術ガス送達システム用のフィルターカートリッジであって、
外科手術ガス送達システムのフィルターカートリッジインターフェース内に着座するように構成されたフィルターハウジングと、
第一の流路内の前記フィルターハウジングの第一の端部内に着座する第一のフィルター要素と、
第二の流路内の前記第一の端部に対向する前記フィルターハウジングの第二の端部内に着座する第二のフィルター要素と、
前記第一および第二のフィルター要素の間に前記フィルターハウジング内に着座する第三のフィルター要素と、を含み、前記第三のフィルター要素が前記第二の流路内にあり、前記第一および第二の流路が前記フィルターハウジング内で互いに流体的に分離される、フィルターカートリッジ。
【請求項２１】
前記フィルターハウジング内の前記第一および第二の流路から流体的に分離された第三の流路内に着座する第四のフィルター要素をさらに含む、請求項２０に記載のフィルターカートリッジ。
【請求項２２】
外科手術ガス送達システム用の外科手術ガスを処理する方法であって、
気腹からフィルターカートリッジへと排煙ガスを受け取ることと、
前記排煙ガスを前記フィルターカートリッジ内の活性炭フィルター要素を通して流して、煙、粒子、および不純物のうちの少なくとも一つを前記排煙ガスから濾過することと、
前記濾過された排煙ガスを外科手術ガス送達システムに受け入れることと、を含む、方法。
【請求項２３】
前記排煙ガスを、ひだ付きフィルター要素を通して、前記活性炭フィルター要素の下流におよび、前記外科手術ガス送達システムの上流に流すことをさらに含む、請求項２２に記載の方法。
【請求項２４】
注入ガスを、前記排煙ガスから、前記フィルターカートリッジ内の別個の流路を通して前記気腹内に流すことであって、前記注入ガスが前記フィルターカートリッジ内の第二のひだ付きフィルター要素を通過するように、流すことをさらに含み、前記フィルターカートリッジを通して前記気腹から圧力を連通することをさらに含む、請求項２３に記載の方法。
【発明の詳細な説明】
【技術分野】
【０００１】
関連出願の相互参照
本出願は、３０１７年６月３０日に出願された米国仮特許出願第６２／５２７，５５３号明細書、２０１８年５月２４日に出願された米国仮特許出願第１５／９８８，７０２号明細書の優先権の利益を主張するものであり、これは参照によりその全体が本明細書に組み込まれる。
【０００２】
本発明は、腹腔鏡外科手術を目的とし、より具体的には、腹腔鏡外科手術の間に使用されるマルチモードのガス注入システム用のフィルターカートリッジに関する。
【背景技術】
【０００３】
腹腔鏡下または「侵襲が最小限の」外科技術は、胆嚢摘出、虫垂切除術、ヘルニア修復および腎摘出などの手術の実施において普及している。このような手術の利点には、患者への外傷の減少、感染の機会の低減、および回復時間の減少が含まれる。腹部（腹膜）空洞内のこのような手術は、典型的には、套管針またはカニューレとして知られる装置を通して実施され、これは腹腔鏡器具の患者の腹腔内への導入を促進する。
【０００４】
さらに、このような手術は、一般に、二酸化炭素などの加圧流体で腹部（腹膜）空洞の充填または「注入」して、気腹と呼ばれるものを作り出すことを含む。注入は、注入流体を送達するように装備された手術用アクセス装置（時に「カニューレ」または「套管針」と呼ばれる）、または注入（ベレス）ニードルなどの別個の注入装置によって、実施され得る。気腹を維持するために、注入ガスの実質的な損失なしに、外科手術機器の気腹への導入が望ましい。
【０００５】
典型的な腹腔鏡下手術の間、外科医は、通常、約１２ミリメートル未満の小さな三つから四つの切創を行い、これは典型的には手術用アクセス装置自体で、典型的には、その中に別個のインサータまたは閉塞具を使用してなされる。挿入後、インサータが取り外され、套管針は腹腔内に挿入される機器に対するアクセスを可能にする。典型的な套管針は、外科医が作業する開放内部空間を持つように、腹腔に注入する手段を提供することが多い。
【０００６】
套管針は、使用されている套管針と外科手術機器の間の密封によって空洞内の圧力を維持する手段を提供し、なお外科手術機器の少なくとも最小の移動の自由を可能にしなければならない。このような器具には、例えば、はさみ、把持器具および閉塞具、焼灼ユニット、カメラ、光源およびその他の外科手術機器が含まれ得る。密封要素または機構は通常、注入ガスの漏れを防ぐために套管針に提供される。密封要素または機構は一般に、套管針を通過する外科手術機器の外側表面の周りに密封するために、比較的柔軟な材料で作られたダックビル型弁を含む。
【０００７】
さらに、腹腔鏡外科手術、電気メス、およびその他の技術（例えば、超音波メス）は、外科手術空洞内で煙およびその他の残骸を生成し、視界を曇らせ、残骸および同種のものの表面を被覆することによって可視性を低減する。さまざまな外科用注入システムおよび排煙システムが当業界で周知である。
【０００８】
さらに、米国ニューヨーク州ユーティカのＣＯＮＭＥＤ  Ｃｏｒｐｏｒａｔｉｏｎは、全体または一部が米国特許第７，８５４，７２４号に記載されている、従来のメカニカルシールなしで通気された手術腔へのアクセスを可能にする手術用アクセス装置を開発し、そのようなアクセス装置に十分な圧力と流量を提供するための関連システムを開発した。
【０００９】
本開示は、標準または特殊な手術用アクセス装置、またはベレスニードルなどの他の器具への注入、標準または特殊な外科用アクセス装置を介した排煙を含む、複数の手術用ガス供給機能、および米国特許第７，８５４，７２４号、米国特許第７，１８２，７５２号、米国特許第７，２８５，１１２号、米国特許第７，４１３，５５９号、または米国特許第７，３３８，４７３号に記載されている上述の外科用アクセス装置のような注入流体の再循環および濾過などの特殊な機能を実行できるマルチモーダルシステム、ならびに関連するデバイスおよび方法に関する。
【００１０】
本明細書に記述されたものなどの単一マルチモーダルシステムの使用は、複数の機能を達成しつつ、一つだけのシステムの購入を必要とすることによってコストを削減し、それによって手術室で必要な装置の量を減少させ、それによってその他の必要な機器のための空間を可能にする。
【００１１】
従来的な技術は、意図された目的で満足していると考えられている。しかし、手術用アクセス装置での濾過改善の必要性が存在する。本開示は、この問題の解決策を提供する。
【発明の概要】
【００１２】
外科手術ガス送達システム用のフィルターカートリッジは、外科手術ガス送達システムのフィルターカートリッジインターフェース内に着座するように構成されたフィルターハウジングを含む。第一のフィルター要素は、フィルターハウジングの第一の端部内に着座する。第二のフィルター要素は、第一の端部に対向するフィルターハウジングの第二の端部内に着座する。第三のフィルター要素は、第一のフィルター要素と第二のフィルター要素との間にフィルターハウジング内に着座する。
【００１３】
第三のフィルター要素は活性炭材料を含み得る。第三のフィルター要素は、活性炭ディスクを含み得る。第一および第二のフィルター要素のそれぞれは、ひだ付きフィルター材料を含み得る。第二のフィルター要素は、第三のフィルター要素の下流に、流路内に存在することができる。第一のフィルター要素は、第二および第三のフィルター要素から別個の流路内に存在することができる。
【００１４】
セパレータ壁を、第一のフィルター要素と第二のフィルター要素との間にフィルターハウジング内に含めることができる。セパレータ壁は通過するガス開口部を含むことができ、プレナムがセパレータ壁と第三のフィルター要素との間に画定され、ガス開口部は、ガス開口部の断面積よりも大きい第三のフィルター要素の断面積を利用するために、プレナムをガスで加圧するように構成される。周辺リムをセパレータ壁の周りに画定することができ、第三のフィルター要素が周辺リムに対して着座し、セパレータ壁と第三のフィルター要素との間に画定される容積の内部であっておよび周辺リム内に画定されるプレナムを維持する。セパレータ壁と第三のフィルター要素との間にシールを着座して、プレナムから第三のフィルター要素を通るガス流を強制することができる。シールシートは、中に着座するシールを有する周辺リムに画定され得る。流体トラップを第一のフィルター要素とセパレータ壁との間に画定することができ、ガス開口部が、流体トラップ内に閉じ込められた流体の貯蔵部の上方のガスの通過を可能にするように構成される。
【００１５】
カバープレートをフィルターハウジングに取り付けて、第一のフィルター要素をフィルターハウジングの第一の端部に固定することができる。カバープレートは、三内腔チューブセットとフィルター要素との間のガスの連通のための三内腔チューブセットに接続するためのフィッティングを含み得る。三内腔チューブセットはフィッティングに接続され得る。また、カバープレートは、二内腔チューブセットとフィルター要素の間のガスの連通のために二内腔チューブセットに接続するためのフィッティングを含み得ることが意図されている。二内腔チューブセットをフィッティングに接続することができる。
【００１６】
第二のカバープレートをフィルターハウジングに取り付けて、第二のフィルター要素をフィルターハウジングの第二の端部に固定することができる。第二のカバープレートは、外科手術ガス送達システムのフィルターカートリッジインターフェースで画定される三つのそれぞれのガスポートに対してシールするよう構成された三つの開口部を画定することができる。
【００１７】
外科手術ガス送達システム用のフィルターカートリッジの別の模範的実施形態は、外科手術ガス送達システムのフィルターカートリッジインターフェース内に着座するように構成されたフィルターハウジングを含む。第一のフィルター要素は、第一の流路内でフィルターハウジングの第一の端部内に着座する。第二のフィルター要素は、第二の流路内の第一の端部に対向するフィルターハウジングの第二の端部内に着座する。第三のフィルター要素は、第一のフィルター要素と第二のフィルター要素との間にフィルターハウジング内に着座し、第三のフィルター要素は第二の流路内にあり、第一および第二の流路はフィルターハウジング内で互いに流体的に分離される。第四のフィルター要素は、フィルターハウジング内の第一および第二の流路から流体的に分離された第三の流路内に着座することができる。
【００１８】
外科手術ガス送達システムのための外科手術ガスを処理する方法は、気腹からフィルターカートリッジへの排煙ガスを受けることを含む。方法は、排煙ガスをフィルターカートリッジ内の活性炭フィルター要素を通して流して、煙、粒子、および不純物のうちの少なくとも一つを排煙ガスから濾過することを含む。方法はまた、濾過された排煙ガスを外科手術ガス送達システムに受けることを含む。
【００１９】
方法は、排煙ガスを、ひだ付きフィルター要素を通して、活性炭フィルター要素の下流におよび、外科手術ガス送達システムの上流に流すことを含むことができる。また、方法は、排煙ガスからフィルターカートリッジ内の別個の流路を通して気腹内に注入ガスを流すことを含むことができ、注入ガスはフィルターカートリッジ内の第二のひだ付きフィルター要素を通過し、注入ガスおよび排煙ガスの流路とは別個にフィルターカートリッジを貫通する第三の流路を通して、圧力を気腹から連通することができることが意図されている。
【００２０】
本開示のシステムおよび方法のこれらおよびその他の特徴は、図面と併せて実行された好ましい実施形態の以下の詳細な説明から、当業者により容易に明らかになる。
【図面の簡単な説明】
【００２１】
主題の開示が属する当業者は、必要以上の実験無しに、主題の開示の装置および方法を作成および使用する方法を容易に理解するであろうゆえに、好適な実施形態を、図面を参照しながら以下に詳細に説明する。
【００２２】
【図１】図１は、本発明の例示的な実施形態に従って構成されたマルチモードガス送達装置の斜視図であり、フィルターカートリッジおよび対応するフィルターカートリッジインターフェースを示す。
【図２】図２は、第一のカバープレート内のトリ内腔チューブセットのフィッティングにおける開口部に向かって見たフィルターカートリッジ構成要素を示す、図１のガス送達装置とインターフェースするよう適合され構成されたフィルターカートリッジの分解斜視図である。
【図３】図３は、図１のフィルターカートリッジインターフェースのガスポートに対してシールする第二のカバープレートの開口部に向かって見たフィルターカートリッジ構成要素を示す、図１のフィルターカートリッジの分解斜視図である。
【図４】図４は、フィルターハウジングに組み立てられたフィルター要素を示す、図１のフィルターカートリッジの断面側面図である。
【発明を実施するための形態】
【００２３】
ここで、同様の参照番号が主題の開示の類似の構造特徴または態様を特定する図面を参照する。説明および説明の目的で、本開示によるフィルターカートリッジの例示的な実施形態の部分図は、図１に示されているがこれに限定されない、また一般的に参照符号１００によって指定される。本開示によるフィルターカートリッジのその他の実施形態、またはその態様は、図２〜図４に記載されている。本明細書に記載のシステムおよび方法は、煙を生成する外科手術の間の気腹からの排煙ガスなどの外科手術ガスを濾過するために使用できる。
【００２４】
図１には、腹腔鏡外科手術の間の使用のための外科手術ガス送達システム１０が図示されている。システム１０は、ハウジングの各側に持ち運びハンドル１４を持つ装置ハウジング１２を含む。ハウジング１２の前面は、グラフィカルユーザーインターフェース（ＧＵＩ）を提示するための静電容量式のまたは抵抗性のタッチスクリーン１６、および装置をオンおよびオフにするための電源スイッチ１８を持つ。
【００２５】
ハウジング１２の前面は、装置ハウジング１２内の使い捨てフィルターカートリッジ２４の確実な係合を促進するように構成された回転可能なラッチ機構２２を有するフィルターカートリッジインターフェース２０をさらに含む。さらに、ハウジング１２の前面は、標準的な６ｍｍの注入接続２６を含む。図示しないが、ハウジング１２の後面は、圧縮ガス源との接続のためのガス供給フィッティング、使用目的のための標準ＵＳＢインターフェース、および標準的な電力接続を含む。
【００２６】
フィルターカートリッジインターフェース２０は、どのタイプのフィルター２４がハウジングに挿入されたかを認識するように設計されている。例えば、フィルターカートリッジの適切な位置または配向を認識し得る。挿入されたフィルターが、第一の動作モード（すなわち、気体密封モード）で使用するために特に設計されているかどうか、またはフィルターが第二の動作モード（すなわち、注入および排煙モード）での使用のために特別に設計されているかどうかを認識することもできる。外科手術ガス送達システムのその他の態様は、米国特許第９，０６７，０３０号に記載されており、これは参照によりその全体が本明細書に組み込まれる。
【００２７】
図２を参照すると、フィルターカートリッジ２４は、三内腔チューブセット３６に関連付けられたフィッティング４６を持つ第一のカバープレート３０を含むフィルターハウジング２８を持つ（図１に示すように）。フィルターハウジング２８は、図１の外科手術ガス送達システム１０のフィルターカートリッジインターフェース２０内に着座するように構成される。フィルターハウジング２８は、一対の第一および第二のひだ付きフィルター要素３８ａおよび３８ｂを保持するように寸法設定され、かつ構成され、排煙中にチューブセット３６の吸引ラインを通してシステム内に引き出された液体を収集するための内部貯蔵部または流体トラップ４０を画定する。
【００２８】
第一のフィルター要素３８ａは、フィルターハウジング２８の第一の端部２６内に着座する。図３に示すように、第二のフィルター要素３８ｂは、第一の端部２６の反対側のフィルターハウジング２８の第二の端部４２内に着座する。第三のフィルター要素４４は、図４に示す通り、第一のフィルター要素３８ａと第二のフィルター要素３８ｂとの間にフィルターハウジング２８内に着座する。図３に示すように、端部キャップ５０内、第四のフィルター要素３２がありこれは下記に説明する検出／注入のためのひだ無しフィルターである。第三のフィルター要素４４は、活性炭材料を含み、活性炭ディスクの形態である。第一および第二のフィルター要素３８ａおよび３８ｂのそれぞれは、ひだ付きフィルター材料を含む。第三のフィルター要素４４は、第二および第三のフィルター要素３８ａおよび３８ｂから別個のフィルター要素であるが、第二のフィルター要素３８ｂと一緒に組み込むことができることが意図されている。例えば、メッシュ支持体を紙フィルターと炭素フィルターとの間に挟むことができ、それによってひだに折り畳まれて、組み合わされた第二のフィルター要素３８ｂおよび第三のフィルター要素４４を形成することができる。
【００２９】
第一のカバープレート３０は、フィルターハウジング２８の第一の端部に取り付けられ、第一のフィルター要素３８ａをフィルターハウジング２８の第一の端部２６に固定する。第一のカバープレート３０は、三内腔チューブセット３６とフィルター要素３８ａ、３８ｂ、および４４との間のガスの連通のために、三内腔チューブセット３６に接続するためのフィッティング４６を含む。第二のカバープレート５０は、フィルターハウジング２８の反対側の端部に取り付けられ、第二のフィルター要素３８ｂをフィルターハウジングの第二の端部４２に固定する。第二のカバープレート５０は、近位プレートおよび遠位プレートを含み、またはそうでなければ、その間に挟まれた第四のフィルター要素３２とともに接合される。図３を参照すると、第二のカバープレート５０は、それぞれが、図１のフィルターカートリッジインターフェース２０内に画定される三つのそれぞれのガスポートに対してシールするように構成された三つの開口部５２ａ、５２ｂ、および５２ｃを画定する。フィッティング４６は、三つの対応する開口部５４ａ、５４ｂ、および５４ｃを含む。
【００３０】
第一の流路は、開口部５４ａから流体トラップ４０に至るまでフィルターカートリッジ２４を通過して（図４に破線で示されているように）、第二および第三のフィルター要素３８ｂおよび４４を通して気腹からの排煙ガスの濾過のために開口部５２ａから出て、三内腔チューブセット３６内の管腔のうちの一つを通して、外科手術ガス送達システム１０に入るように、画定される。第二のフィルター要素３８ｂは、この第一の流路内の第三のフィルター要素４４の下流にある。
【００３１】
第二の流路は、フィルターカートリッジ２４を通って画定され、これはフィルターカートリッジ２４内で第一の流路から流体的に分離される。第二の流路は、三内腔チューブセット３６の内腔の第二の一つを通過するガスを有する気腹を維持するために、ガスを、外科手術ガス送達システム１０から、開口部５２ｂを通して、第一のフィルター要素３８ａを通して、開口部５４ｂから外にもたらす。従って、第一のフィルター要素３８ａは、第二および第三のフィルター要素３８ｂおよび４４からの別個の流路である。この第二の流路は圧力ライン内にあり、ジェットに圧力を供給して、例えば、三内腔チューブセット３６に接続された手術用アクセス装置のために、バルブがないシールにガスシールを作り出す。
【００３２】
第三の流路は、フィルターカートリッジ２４内で他方の二つの流路から流体的に分離されたフィルターカートリッジ２４を通って画定される。この第三の流路は、フィルター要素３８ａ、３８ｂ、または４４のいずれも通過しない。その代わりに、第三の流路は、開口部５４ｃからの腹部圧をフィルターカートリッジ２４を通して開口部５２ｃに伝え、外科手術ガス送達システム１０が、三内腔チューブセット３６の内腔のうちの第三の一つを通して気腹の圧力を監視することができるように、フィルター要素３８ａ、３８ｂ、および４４をバイパスする。ＣＯ２注入ガスは、開口部５２ｃから開口部５４ｃまで気腹に流れることができる。この第三の流路は、注入／検出ラインとして機能し、第四のフィルター要素３２を通過する三つの流路の唯一の一つである。
【００３３】
ここで図４を参照すると、セパレータ壁５６は、第一のフィルター要素３８ａと第二のフィルター要素３８ｂとの間にフィルターハウジング２８内に含まれる。セパレータ壁５６は、第一のフィルター要素３８ａの内側にあるフィルターハウジング２８のバルクヘッド５８と連携して、気腹からの流入ガスから流体をトラップするために、その間の流体トラップ４０を画定する（体トラップ４０の底部に図４に流概略的に示す）。セパレータ壁５６は、それを通ってガス開口部６０を含む。ガス開口部６０は、流体トラップ４０の底部に閉じ込められた流体の貯蔵部の上方のガスの通過を許容するように構成される。
【００３４】
プレナム６２は、セパレータ壁５６と第三のフィルター要素４４との間に画定される。ガス開口部６０は、ガス開口部６０の断面積よりも第三のフィルター要素４４のより大きな断面積を利用するためのガスでプレナム６２を加圧するよう構成されており、すなわち、プレナム６２は第三のフィルター要素４４の活性炭のほぼ完全な面積使用のために加圧される。これにより、フィルターカートリッジ２４内の活性炭フィルター要素４４を通して排煙ガスを流すことができ、排煙ガスからの煙、粒子、不純物のうちの少なくとも一つをフィルターにかけることができる。
【００３５】
周辺リム６４は、セパレータ壁５６の周りに画定され、ここで、第三のフィルター要素４４は、周辺リム６４に対して着座して、セパレータ壁５６と第三のフィルター要素４４との間および周辺リム６４内に画定される、容積内に画定されたプレナム６２の間隔を維持する。シール６６は、セパレータ壁５６と第三のフィルター要素４４との間に着座され、第三のフィルター要素４４を通してプレナム６２からガス流を強制する。シールシート６８は、中に着座するシール６６を有する周辺リム６４内に画定される。
【００３６】
本開示によるチューブセットを備えたフィルターの別の実施形態は、例えば、上述のガスシールの作成の原因となる開口部５４ｂをプラグすることによって圧力ラインをプラグするアダプタを含む。この実施形態では、二内腔チューブセットがフィルターカートリッジに取り付けられ、例えば、一つのルーメンは開口部５４ａに接続され、一つのルーメンは開口部５４ｃに接続され、一つのルーメンはガスの検出/注入を担い、他の一つのルーメンは、手術用ガスと煙を空洞から除去する。この実施形態は、煙排出用に上述した第三のフィルター要素４４を含み、三内腔チューブセット３６の第三の内腔を省略する。
【００３７】
上述し、図面に示す通り、本開示の方法およびシステムは、煙、粒子、および不純物の改善された除去を含む優れた特性を持つ外科手術ガスの濾過を提供する。対象開示の装置および方法が好ましい実施形態を参照して示され、記述されてきたが、当業者であれば、変更および／または修正が、対象開示の範囲から逸脱することなく作成され得ることを容易に理解するであろう。
【図１】
2020525201.tif 000003
【図２】
2020525201.tif 000004
【図３】
2020525201.tif 000005
【図４】
2020525201.tif 000006
【国際調査報告】
2020525201.tif 000007
2020525201.tif 000008
2020525201.tif 000009